(57)【要約】【課題】固定位置の調整が可能な連結固定手段を提供する。【解決手段】係止部１４を有する一方のフラップ部１１と、係止部１４が係止される被係止部１５を有する他方のフラップ部１３とを備えており、係止部１４は、一方のフラップ部１１の端縁から突出する突出片１４であり、この突出片１４は、付け根側に位置する所定幅の首部ｎｐと、先端側に位置し首部ｎｐよりも幅広の頭部ｈｐとからなり、被係止部１５は、他方フラップ部１３に設けられた抜き孔であり、この抜き孔１５は、突出片１４の頭部ｈｐよりも幅の広い導入部ｉｐと、この導入部ｉｐから連続的に延出し且つ突出片１４の頭部ｈｐよりも幅の狭い固定調整部ｗｐとからなり、この固定調整部ｗｐには、突出片１４の頭部ｈｐよりも幅が狭く且つ突出片１４の首部ｎｐよりも幅が広い固定部ｆｐと、この固定部ｆｐより幅が狭く且つ突出片１４の首部ｎｐが通過可能な非固定部ｍｐとが、延出方向に沿って交互に且つそれぞれ複数形成されているダンボール箱１とする。【選択図】図７
2008265774.tif 000002
【特許請求の範囲】
【請求項１】
係止部を有する第１の板状部分と、前記係止部が係止される被係止部を有する第２の板状部分とを備えたダンボール箱において、
前記係止部は、前記第１の板状部分の端縁から突出する突出片であり、この突出片は、付け根側に位置する所定幅の首部と、先端側に位置し首部よりも幅広の頭部とからなり、
前記被係止部は、前記第２の板状部分に設けられた抜き孔であり、この抜き孔は、前記突出片の頭部よりも幅の広い導入部と、この導入部から連続的に延出し且つ前記突出片の頭部よりも幅の狭い固定調整部とからなり、この固定調整部には、前記突出片の頭部よりも幅が狭く且つ前記突出片の首部よりも幅が広い固定部と、この固定部より幅が狭く且つ前記突出片の首部が通過可能な非固定部とが、前記延出方向に沿って交互に且つそれぞれ複数形成されている、
ことを特徴とするダンボール箱。
【請求項２】
基部と、この基部の四方にそれぞれ延出するフラップ部とを有し、少なくとも１対のフラップ部におけるいずれか一方のフラップ部に係止部が設けられ、他方のフラップ部に被係止部が設けられており、
前記基部内面に被包装物を位置させた状態で、各フラップ部をそれぞれ基部側に折り返して被包装物を覆うとともに、前記一方のフラップ部の係止部を前記他方のフラップ部の被係止部に係止するように構成した、たとう式のダンボール箱であって、
前記係止部は、前記一方のフラップ部の先端から突出する突出片であり、この突出片は、付け根側に位置する所定幅の首部と、先端側に位置し首部よりも幅広の頭部とからなり、被係止部は、前記他方のフラップ部に設けられた抜き孔であり、この抜き孔は、前記他方のフラップ部の先端側に位置し且つ前記突出片の頭部よりも幅の広い導入部と、この導入部から他方のフラップ部の基端側に連続的に延出し且つ前記突出片の頭部よりも幅の狭い固定調整部とからなり、この固定調整部には、前記突出片の頭部よりも幅が狭く且つ前記突出片の首部よりも幅が広い固定部と、この固定部より幅が狭く且つ前記突出片の首部が通過可能な非固定部とが、前記導入部側から基端側に向かって交互に且つそれぞれ複数形成されている、
ことを特徴とするダンボール箱。
【請求項３】
第１の帯状部と、第２の帯状部とから構成され、
第１の帯状部は、長手方向中間を占める中間部と、この中間部の長手方向両端からそれぞれ延出された一対のフラップ部と、これらフラップ部のうち一方のフラップ部に設けられた係止部と、他方のフラップ部に設けられた、前記係止部が係止される被係止部とを有し、
第２の帯状部は、長手方向中間を占める中間部と、この中間部の長手方向両端からそれぞれ延出された一対のフラップ部と、これらフラップ部のうち一方のフラップ部に設けられた係止部と、他方のフラップ部に設けられた、前記係止部が係止される被係止部とを有し、
前記第１の帯状部の幅方向一方の側縁と第２の帯状部の幅方向一方の側縁とが、それぞれ中間部の一部または全部において前記長手方向に沿う直線状の長手方向折り曲げ部分を介して連続し、且つこの折り曲げ部分の長手方向両側全体は分離部として分離されており、
前記第１の帯状部及び第２の帯状部のいずれか一方の帯状部に、前記長手方向折り曲げ部分に沿う方向に対して４５度の角度をなす直線状の斜め折り曲げ部分が設けられるとともに、この斜め折り曲げ部分の両端のうち当該帯状部の前記一方の側縁から遠い方を遠位端とし、当該帯状部の前記一方の側縁に近い方を近位端とし、当該帯状部の一方の側縁における両前記分離部のうち前記長手方向において前記遠位端に近い分離部を遠位端側分離部とし、前記近位端に近い分離部を近位端側分離部としたとき、前記遠位端から前記遠位端側分離部まで切断部が連続的に形成されるとともに、前記近位端を前記近位端側分離部に位置させるか又は前記近位端から前記近位端側分離部まで切断部が連続的に形成されており、
前記長手方向折り曲げ部分の折り曲げ方向と、前記斜め折り曲げ部分の折り曲げ方向とが、互いに反対向きとされており、
前記長手方向折り曲げ部分及び斜め折り曲げ部分をそれぞれ折り曲げて、前記第１の帯状部の長手方向と前記第２の帯状部の長手方向とが交差するように、第１の帯状部及び第２の帯状部のいずれか一方の帯状部の中間部内面に他方の帯状部の中間部外面を重ね合わせ、この重ね合わせた部分の内面に被包装物を位置させた状態で、第１の帯状部及び第２の帯状部のいずれか一方の帯状部における一対のフラップ部をそれぞれ中間部側に折り返して被包装物を覆い且つその一方のフラップ部の係止部を他方のフラップ部の被係止部に係止するとともに、他方の帯状部における一対のフラップ部をそれぞれ中間部側に折り返して被包装物を覆い且つその一方のフラップ部の係止部を他方のフラップ部の被係止部に係止するように構成した、たとう式のダンボール箱であって、
前記第１の帯状部及び第２の帯状部の少なくとも一方における前記係止部及び被係止部のうち、係止部は、前記一方のフラップ部の先端から突出する突出片であり、この突出片は、付け根側に位置する所定幅の首部と、先端側に位置し首部よりも幅広の頭部とからなり、被係止部は、前記他方のフラップ部に設けられた抜き孔であり、この抜き孔は、前記他方のフラップ部の先端側に位置し且つ前記突出片の頭部よりも幅の広い導入部と、この導入部から他方のフラップ部の基端側に連続的に延出し且つ前記突出片の頭部よりも幅の狭い固定調整部とからなり、この固定調整部には、前記突出片の頭部よりも幅が狭く且つ前記突出片の首部よりも幅が広い固定部と、この固定部より幅が狭く且つ前記突出片の首部が通過可能な非固定部とが、前記導入部側から基端側に向かって交互に且つそれぞれ複数形成されている、
ことを特徴とするダンボール箱。
【発明の詳細な説明】
【技術分野】
【０００１】
本発明は、ダンボール箱に関するものであり、より詳細には、対向する一対のフラップを相互に連結固定する際、固定位置の調整が可能なダンボール箱に関するものである。
【背景技術】
【０００２】
段ボール箱の形式の一つとして、たとう式又は奴式が知られている（例えば特許文献１参照）。このたとう式は、薄く平らなものを包装するのに適したものであり、十字状に形成された段ボールシートの中央部に物品を配し、その四方に突出するフラップを物品上に折り返して、対向する一対のフラップを相互に連結固定するものである。連結固定の手段としては、対向するフラップのいずれか一方に突出片を設け、他方に差し込み孔を設け、突出片を差し込み孔に差し込むことによって連結するものの他、テープやステープル、グルー等の封緘手段が採用されている。
また、たとう式に限らず、他のあらゆる形式の段ボール箱においても、封緘に際してフラップ相互、あるいはフラップと側面とを連結固定するために、上述のような差し込み手段や、テープやステープル、グルー等の封緘手段が採用されている。
【特許文献１】実登３０３１１０３号公報
【発明の開示】
【発明が解決しようとする課題】
【０００３】
しかしながら、従来の連結固定手段は固定位置の調整が不可能であった。
そこで、本発明の主たる課題は、固定位置の調整が可能な連結固定手段を提供することにある。
【課題を解決するための手段】
【０００４】
上記課題を解決した本発明は次記のとおりである。
なお、本発明における方向を示す語句は、発明を説明する上で便宜上定めたものであり、製品として使用される際の方向を限定するものではない。
【０００５】
＜請求項１記載の発明＞
係止部を有する第１の板状部分と、前記係止部が係止される被係止部を有する第２の板状部分とを備えたダンボール箱において、
前記係止部は、前記第１の板状部分の端縁から突出する突出片であり、この突出片は、付け根側に位置する所定幅の首部と、先端側に位置し首部よりも幅広の頭部とからなり、
前記被係止部は、前記第２の板状部分に設けられた抜き孔であり、この抜き孔は、前記突出片の頭部よりも幅の広い導入部と、この導入部から連続的に延出し且つ前記突出片の頭部よりも幅の狭い固定調整部とからなり、この固定調整部には、前記突出片の頭部よりも幅が狭く且つ前記突出片の首部よりも幅が広い固定部と、この固定部より幅が狭く且つ前記突出片の首部が通過可能な非固定部とが、前記延出方向に沿って交互に且つそれぞれ複数形成されている、
ことを特徴とするダンボール箱。
【０００６】
（作用効果）
本発明は、第１の板状部分と第２の板状部分との連結固定手段に特徴を有するものである。本発明の連結固定手段では、連結固定に際して、先ず第１の板状部分の突出片を第２の板状部分の抜き孔における導入部に首部まで挿入する。導入部の幅は突出片の頭部よりも幅が広いため、このような挿入が可能である。これに対して、固定調整部は突出片の頭部よりも幅が狭いため挿入は不可能である。次いで、突出片の首部を導入部から固定調整部へ通し、固定調整部における所望の固定部まで移動させる。この際、固定調整部は突出片の頭部よりも幅が狭いため、突出片が固定調整部から外れることはない。そして、突出片を固定調整部における所望の固定部まで移動させたならば、その固定部に突出片の頭部を掛け止める。固定部は、突出片の頭部よりも幅が狭く且つ首部よりも幅が広いため、このような掛止が可能となる。そして、この掛止により、突出片が導入部側に戻らないように固定される。さらに固定位置を調整する場合には、突出片を導入部側と反対側に引いて頭部の掛止を外し、突出片の移動等を再度行えばよい。かくして、ステープル等の封緘手段を用いずに、しかも簡素な構造で、段ボール箱の２つの部分を確実に連結固定することができ、またその固定位置の調整も可能となる。
【０００７】
＜請求項２記載の発明＞
基部と、この基部の四方にそれぞれ延出するフラップ部とを有し、少なくとも１対のフラップ部におけるいずれか一方のフラップ部に係止部が設けられ、他方のフラップ部に被係止部が設けられており、
前記基部内面に被包装物を位置させた状態で、各フラップ部をそれぞれ基部側に折り返して被包装物を覆うとともに、前記一方のフラップ部の係止部を前記他方のフラップ部の被係止部に係止するように構成した、たとう式のダンボール箱であって、
前記係止部は、前記一方のフラップ部の先端から突出する突出片であり、この突出片は、付け根側に位置する所定幅の首部と、先端側に位置し首部よりも幅広の頭部とからなり、被係止部は、前記他方のフラップ部に設けられた抜き孔であり、この抜き孔は、前記他方のフラップ部の先端側に位置し且つ前記突出片の頭部よりも幅の広い導入部と、この導入部から他方のフラップ部の基端側に連続的に延出し且つ前記突出片の頭部よりも幅の狭い固定調整部とからなり、この固定調整部には、前記突出片の頭部よりも幅が狭く且つ前記突出片の首部よりも幅が広い固定部と、この固定部より幅が狭く且つ前記突出片の首部が通過可能な非固定部とが、前記導入部側から基端側に向かって交互に且つそれぞれ複数形成されている、
ことを特徴とするダンボール箱。
【０００８】
（作用効果）
本発明の固定位置調整は、たとう式の箱において対向するフラップ部相互の連結固定を行う場合に、特に好適である。すなわち、対向するフラップ部の連結固定位置を調整することにより、箱の容積を収容物の厚さ等に合わせて調整することができる。
【０００９】
＜請求項３記載の発明＞
第１の帯状部と、第２の帯状部とから構成され、
第１の帯状部は、長手方向中間を占める中間部と、この中間部の長手方向両端からそれぞれ延出された一対のフラップ部と、これらフラップ部のうち一方のフラップ部に設けられた係止部と、他方のフラップ部に設けられた、前記係止部が係止される被係止部とを有し、
第２の帯状部は、長手方向中間を占める中間部と、この中間部の長手方向両端からそれぞれ延出された一対のフラップ部と、これらフラップ部のうち一方のフラップ部に設けられた係止部と、他方のフラップ部に設けられた、前記係止部が係止される被係止部とを有し、
前記第１の帯状部の幅方向一方の側縁と第２の帯状部の幅方向一方の側縁とが、それぞれ中間部の一部または全部において前記長手方向に沿う直線状の長手方向折り曲げ部分を介して連続し、且つこの折り曲げ部分の長手方向両側全体は分離部として分離されており、
前記第１の帯状部及び第２の帯状部のいずれか一方の帯状部に、前記長手方向折り曲げ部分に沿う方向に対して４５度の角度をなす直線状の斜め折り曲げ部分が設けられるとともに、この斜め折り曲げ部分の両端のうち当該帯状部の前記一方の側縁から遠い方を遠位端とし、当該帯状部の前記一方の側縁に近い方を近位端とし、当該帯状部の一方の側縁における両前記分離部のうち前記長手方向において前記遠位端に近い分離部を遠位端側分離部とし、前記近位端に近い分離部を近位端側分離部としたとき、前記遠位端から前記遠位端側分離部まで切断部が連続的に形成されるとともに、前記近位端を前記近位端側分離部に位置させるか又は前記近位端から前記近位端側分離部まで切断部が連続的に形成されており、
前記長手方向折り曲げ部分の折り曲げ方向と、前記斜め折り曲げ部分の折り曲げ方向とが、互いに反対向きとされており、
前記長手方向折り曲げ部分及び斜め折り曲げ部分をそれぞれ折り曲げて、前記第１の帯状部の長手方向と前記第２の帯状部の長手方向とが交差するように、第１の帯状部及び第２の帯状部のいずれか一方の帯状部の中間部内面に他方の帯状部の中間部外面を重ね合わせ、この重ね合わせた部分の内面に被包装物を位置させた状態で、第１の帯状部及び第２の帯状部のいずれか一方の帯状部における一対のフラップ部をそれぞれ中間部側に折り返して被包装物を覆い且つその一方のフラップ部の係止部を他方のフラップ部の被係止部に係止するとともに、他方の帯状部における一対のフラップ部をそれぞれ中間部側に折り返して被包装物を覆い且つその一方のフラップ部の係止部を他方のフラップ部の被係止部に係止するように構成した、たとう式のダンボール箱であって、
前記第１の帯状部及び第２の帯状部の少なくとも一方における前記係止部及び被係止部のうち、係止部は、前記一方のフラップ部の先端から突出する突出片であり、この突出片は、付け根側に位置する所定幅の首部と、先端側に位置し首部よりも幅広の頭部とからなり、被係止部は、前記他方のフラップ部に設けられた抜き孔であり、この抜き孔は、前記他方のフラップ部の先端側に位置し且つ前記突出片の頭部よりも幅の広い導入部と、この導入部から他方のフラップ部の基端側に連続的に延出し且つ前記突出片の頭部よりも幅の狭い固定調整部とからなり、この固定調整部には、前記突出片の頭部よりも幅が狭く且つ前記突出片の首部よりも幅が広い固定部と、この固定部より幅が狭く且つ前記突出片の首部が通過可能な非固定部とが、前記導入部側から基端側に向かって交互に且つそれぞれ複数形成されている、
ことを特徴とするダンボール箱。
【００１０】
（作用効果）
本項記載の段ボール箱は、平坦な一枚の段ボールシートからたとう式の箱構造を形成する場合に好適な形態である。このような構造を採用することにより、少ないトリム量で製造することができるとともに、組立て・管理が容易になる等の利点がもたらされる。
【発明の効果】
【００１１】
以上のとおり本発明によれば、段ボール箱における連結固定に際して固定位置が調整可能になる、等の利点がもたらされる。
【発明を実施するための最良の形態】
【００１２】
以下、本発明の実施形態について添付図面を参照しつつ説明する。
図１〜図８は、本発明に係るダンボール箱１の実施形態を示している。図中の点線及び一点鎖線は折り曲げ罫線を示している。このダンボール箱１は、所謂たとう式のダンボール箱であり、長方形状の第１の帯状部１０と、長方形状の第２の帯状部２０とから構成されている。
【００１３】
第１の帯状部１０及び第２の帯状部２０の各々は、長手方向中間を占める中間部１２，２２と、この中間部１２，２２の長手方向両端からそれぞれ延出された一対のフラップ部１１，１３、２１，２３と、これらフラップ部のうち一方のフラップ部１１，２１に設けられた係止部１４，２４と、他方のフラップ部１３，２３に設けられた、係止部１４，２４が係止される被係止部１５，２５とを有する。
【００１４】
第１の帯状部１０の幅方向一方の側縁と第２の帯状部２０の幅方向一方の側縁とが、それぞれ中間部１２，２２の一部（全部でも良い）において長手方向に沿う直線状の長手方向折り曲げ部分ｒ１を介して連続し、且つこの折り曲げ部分ｒ１の長手方向両側は全体が分離部ｃ１，ｃ２として切断されている。
【００１５】
また、第１の帯状部１０の中間部１２には、長手方向折り曲げ部分ｒ１に沿う方向に対してθ＝４５度の角度をなす直線状の斜め折り曲げ部分ｒ２が設けられている。この斜め折り曲げ部分ｒ２の折り曲げ方向は、長手方向折り曲げ部分ｒ１の折り曲げ方向と反対向きとされている。また、この斜め折り曲げ部分ｒ２の両端のうち、第１の帯状部１０における第２の帯状部２０側の側縁１０Ｅから遠い方及び近い方をそれぞれ遠位端ｒｆ及び近位端ｒｎとし、当該側縁１０Ｅにおける両分離部ｃ１，ｃ２のうち長手方向において遠位端ｒｆに近い分離部ｃ２を遠位端側分離部とし、近位端ｒｎに近い分離部ｃ１を近位端側分離部としたとき、遠位端ｒｆから遠位端側分離部ｃ２まで遠位端側切断部ｘ２が連続的に形成されるとともに、近位端ｒｎから近位端側分離部ｃ１まで近位端側切断部ｘ１が連続的に形成されている。
【００１６】
図示例では、斜め折り曲げ部分ｒ２等を第１の帯状部１０に設けているが、反対に、斜め折り曲げ部分ｒ２等を第２の帯状部２０に設けることもできる。また、斜め折り曲げ部分ｒ２を近位端側分離部ｃ１まで延在させ、近位端ｒｎを近位端側分離部ｃ１に位置させることにより、近位端側切断部ｘ１を省略することもできる。さらに、図示例では、遠位端側切断部ｘ２は斜め折り曲げ部分ｒ２に対して直交する方向に沿って直線状に設けられており、近位端側切断部ｘ１は側縁１０Ｅに対して直交する方向に沿って直線状に設けられているが、これらの角度は特に限定されるものではなく、また直線状に限定されるものでも無い。
【００１７】
そして特徴的には、第１の帯状部１０及び第２の帯状部２０の各々における係止部１４，２４及び被係止部１５，２５が本発明に従って構成されている。すなわち、係止部１４，２４は、一方のフラップ部（第１の板状部分に相当）１１，２１の先端から突出するきのこ状の突出片であり、この突出片１４，２４は、付け根側に位置する所定幅の首部ｎｐと、先端側に位置し首部ｎｐよりも幅広の頭部ｈｐとからなる。
【００１８】
また、被係止部１５，２５は、他方のフラップ部（第２の板状部分に相当）１３，２３に設けられた抜き孔であり、この抜き孔１５，２５は、他方のフラップ部１３，２３の先端側に位置し且つ突出片１４，２４の頭部ｈｐの幅Ｗ４よりも広い幅Ｗ５を有する導入部ｉｐと、この導入部ｉｐから他方のフラップ部１３，２３の基端側に向かって連続的に延出し且つ突出片１４，２４の頭部ｈｐの幅Ｗ４よりも幅の狭い固定調整部ｗｐとからなる。固定調整部ｗｐは、突出片１４，２４の頭部ｈｐの幅Ｗ４よりも狭く且つ突出片１４，２４の首部ｎｐの幅Ｗ２よりも広い幅Ｗ３を有する固定部ｆｐと、この固定部ｆｐの幅Ｗ３より狭い幅Ｗ１を有し且つ突出片１４，２４の首部ｎｐが通過可能な非固定部ｍｐとが、導入部ｉｐ側から他方のフラップ１３，２３の基端側に向かって（つまり固定調製部ｗｐの延出方向に）非固定部ｍｐ、固定部ｆｐの順に、交互に且つそれぞれ複数形成されている。
【００１９】
非固定部ｍｐの幅Ｗ１は、突出片１４，２４の首部ｎｐの幅Ｗ２より広くてもよいが、Ｗ２と同じか、Ｗ２よりも１〜５ｍｍ程度短い方が好ましい。また図示例では、固定部ｆｐ及び非固定部ｍｐを形成するために、固定調整部ｗｐの幅方向量側縁を、複数の半円状突出部からなる波状に形成しているが、固定部ｆｐ及び非固定部ｍｐの幅の大小関係を満たす限り、三角波状、のこぎり波状、矩形波状等、適宜の形状を採用することができる。
【００２０】
かくして構成されたたとう式ダンボール箱は、例えば次のように組立てることができる。すなわち、図３はブランクシートの状態を示しており、この状態から長手方向折り曲げ部分ｒ１及び斜め折り曲げ部分ｒ２をそれぞれ折り曲げて、図４に示すように、第１の帯状部１０の長手方向と第２の帯状部２０の長手方向とが直交するように、第２の帯状部２０の中間部２２内面に第１の帯状部１０の中間部１２外面を重ね合わせる。長手方向折り曲げ部分ｒ１及び斜め折り曲げ部分ｒ２の折り曲げ方向を反対向きにすることで、第１の帯状部１０の中間部１２内面に第２の帯状部２０の中間部２２外面を重ね合わせることもできる。
【００２１】
次いで、この重ね合わせた部分（基部に相当）の内面に図示しない被包装物を位置させた状態で、第１の帯状部１０における一対のフラップ部１１，１３をそれぞれ中間部１２側に折り返して被包装物を覆い且つその一方のフラップ部１１の係止部１４を他方のフラップ部１３の被係止部１５に係止し、両フラップ部１１，１３を着脱自在に連結固定する。
【００２２】
より詳細には、図５に示すように、一方のフラップ部１１の突出片１４を、首部ｎｐまで、他方のフラップ部１３の抜き孔１５における導入部ｉｐに挿入する。導入部ｉｐの幅は突出片１４の頭部ｈｐよりも幅が広いため、このような挿入が可能である。これに対して、固定調整部ｗｐは突出片１４の頭部ｈｐよりも幅が狭いため挿入は不可能である。次いで、突出片１４の首部ｎｐを導入部ｉｐから固定調整部ｗｐへ通し、所望の固定部ｆｐまで移動させる。この際、固定調整部ｗｐは突出片１４の頭部ｈｐよりも幅が狭いため、突出片１４が固定調整部ｗｐから外れることはない。そして、突出片１４を固定調整部ｗｐにおける所望の固定部ｆｐまで移動させたならば、図６に示すように、その固定部ｆｐに突出片１４の頭部ｈｐを掛け止める。固定部ｆｐは、突出片１４の頭部ｈｐよりも幅が狭く且つ首部ｎｐよりも幅が広いため、このような掛止が可能となる。そして、この掛止により、突出片１４が導入部ｉｐ側に戻らないように固定される。さらに固定位置を調整する場合には、突出片１４を導入部ｉｐ側と反対側に引いて頭部ｈｐの掛止を外し、突出片１４の移動等を再度行えばよい。
【００２３】
次いで、図７に示すように、第２の帯状部２０における一対のフラップ部２１，２３をそれぞれ中間部２２側に折り返して、被包装物を第１の帯状部の外側から覆い、且つ第１の帯状部１０と同様に、一方のフラップ部２１の係止部２４を他方のフラップ部２３の被係止部２５に係止し、両フラップ部２１，２３を着脱自在に連結固定する。なお、図示例では、第１の帯状部１０を先に連結固定するようにしたが、反対に第２の帯状部２０を先に連結固定し、その外側において第１の帯状部１０を連結固定することもできる。
【００２４】
かくして、ステープル等の封緘手段を用いずに、たとう式段ボール箱の封緘を行うことができ、しかも箱の容積を適宜調整することができる。
【００２５】
＜他の実施形態＞
（イ）  上記例と異なり、展開状態で十字状をなすたとう式のダンボール箱にも適用できるものである。また、所謂Ａ式、Ｂ式、Ｃ式、Ｎ式等、他のあらゆる種類のダンボール箱における、フラップ相互や、フラップと側面等を連結固定する際にも用いることができる。さらに、本発明に係るたとう式ダンボール箱は、厚さが薄いものに限られない。
（ロ）  上記例では、第１の帯状部及び第２の帯状部の各々に、本発明の連結固定手段を用いているが、いずれか一方にのみ本発明の連結固定手段を用い、他方においては従来と同様の差し込み式、ステープル式、グルー式、粘着テープ式等の連結固定手段を用いることもできる。
（ハ）  本発明は、図８に示すように、中央部分（基部に相当）の四方に突出するフラップ１１，１３，２１，２３を有する十字状のブランクシートからなる一般的なたとう式ダンボール箱１００にも適用できる。
（ニ）  本発明の連結固定は、上記例のような封緘を目的としたものに限られず、開封状態を維持するため、あるいは仮止めのため等、あらゆる目的に用いることができる。
【産業上の利用可能性】
【００２６】
本発明は、ダンボール箱に適用できるものである。
【図面の簡単な説明】
【００２７】
【図１】本発明に係るたとう式ダンボール箱の展開図である。
【図２】要部拡大図である。
【図３】ブランクシートの斜視図である。
【図４】封緘作業途中の状態を示す斜視図である。
【図５】封緘作業途中の状態を示す斜視図である。
【図６】封緘作業途中の状態を示す斜視図である。
【図７】封緘状態を示す斜視図である。
【図８】他の例の展開図である。
【符号の説明】
【００２８】
１，１００…ダンボール箱、１０…第１の帯状部、１１，１２…フラップ部、１３…フラップ部、１４…係止部、１５…被係止部、２０…第２の帯状部、２１，２２…フラップ部、２３…フラップ部、２４…係止部、２５…被係止部、ｒ１…長手方向折り曲げ部分、ｒ２…斜め折り曲げ部分。
【図１】
2008265774.tif 000003
【図２】
2008265774.tif 000004
【図３】
2008265774.tif 000005
【図４】
2008265774.tif 000006
【図５】
2008265774.tif 000007
【図６】
2008265774.tif 000008
【図７】
2008265774.tif 000009
【図８】
2008265774.tif 000010